(57)【要約】【課題】巻線型トランスの小型化と放電を防止する。【解決手段】ボビン２にパーティション４，６，８，１０，１２，１４を介して一次巻線３２と二次巻線３９，４１を所定の幅にわたって筒状に巻回し、巻線の端部から延長されたリード線３２ａ，３９ｂ，４１ａを二次巻線３９，４１の筒状の外周面の一端部から他端方向に向けて折り返す。ボビン２の軸方向の両端に固設された端子台１６，１８間に絶縁体から成る細長状の遮蔽体３４を架設し、遮蔽体３４の長手方向に沿って、ボビン２と対面する側とは反対側に解放されたリード線ガイド部３４ａを設ける。折り返したリード線３２ａ，３９ｂ，４１ａをリード線ガイド部３４ａに配置し、二次巻線３９，４１の外周面を跨いで端子台１６，１８に導き、リード線３２ａ，３９ｂ，４１ａをリードピン２０，２２，２６，２８に接続する。【選択図】図１
2004228229.tif 000002
【特許請求の範囲】
【請求項１】
ボビンにパーティションを介して一次巻線と二次巻線を所定の幅にわたって筒状に巻回し、巻線の端部から延長されたリード線を二次巻線の筒状の外周面の一端部から他端方向に向けて折り返し、この折り返したリード線を二次巻線の外周面を跨いでボビンに固設された端子台に導き、該リード線をリードピンに接続するようにした巻線型トランスにおいて、前記ボビンに絶縁体から成る細長状の遮蔽体を該ボビンとの間に所定の空間を存して平行に配設し、前記リード線と前記二次巻線の外周面との間を前記遮蔽体によって遮蔽したことを特徴とする巻線型トランス。
【請求項２】
ボビンの中央部に一次巻線を装着し、この一次巻線の両側に第１と第２の二次巻線を装着し、前記一次巻線とその両側の第１及び第２の二次巻線との境界に絶縁耐圧用のパーティションを配設し、前記ボビンの一端に第１の端子台を設け、前記ボビンの他端に第２の端子台を設け、それぞれの端子台に二次高圧端子とこれに対して距離を存した位置に一次入力端子とグランド端子を設け、前記第１の二次巻線の一端のリード線を前記第１の端子台の二次高圧端子に接続し、前記第２の二次巻線の一端のリードを前記第２の端子台の二次高圧端子に接続し、前記一次巻線の一端のリード線と前記第１の二次巻線の前記一次巻線と接する側の巻線のリード線とを前記二次巻線の外周面に沿って前記ボビンの一端に導き、該リード線をそれぞれ前記第１の端子台の対応する一次入力端子とグランド端子に接続し、前記一次巻線の他端のリード線と前記第２の二次巻線の前記一次巻線と接する側の巻線の端部のリード線とを前記二次巻線の外周面の軸方向に沿って前記ボビンの他端に導き、該リード線をそれぞれ前記第２の端子台の対応する一次入力端子とグランド端子に接続し、前記二次巻線の外周面に絶縁体から成る細長状の遮蔽体を対向配置し、前記一次巻線の一端のリード線と前記二次巻線の外周面との間、前記第１の二次巻線の前記一次巻線と接する側の巻線のリード線と前記二次巻線の外周面との間、前記一次巻線の他端のリード線と前記二次巻線の外周面との間、前記第２の二次巻線の前記一次巻線と接する側の巻線の端部のリード線と前記二次巻線の外周面との間を前記遮蔽体により遮蔽し、一次側巻線とその両側の二次巻線とで１入力２出力を構成したことを特徴とする巻線型トランス。
【請求項３】
前記第１と第２の端子台の各々の一方端側に前記二次高圧端子を設け、他方端側にそれぞれ前記一次入力端子とグランド端子とを設けたことを特徴とする「請求項２」に記載の巻線型トランス。
【請求項４】
前記一次巻線に共振コンデンサを接続して一次側共振回路を設け、前記一次巻線に、一次側共振電圧のフィードバック信号に基づいて一次側共振周波数で自励発振する自励発振回路を接続したことを特徴とする「請求項２」に記載の巻線型トランス。
【発明の詳細な説明】
【０００１】
【発明の属する技術分野】
本発明は、冷陰極型蛍光ランプなどを駆動するインバータ等に用いられる巻線型トランスに関する。
【０００２】
【従来の技術】
冷陰極型蛍光ランプなどを駆動するインバータ等に用いられる小型の巻線型トランス（ロイヤー方式トランス）では、図１２に示すように、ボビン９２に巻かれた二次巻線９４の巻き終わり端Ｅと、端子台９６のリードピン即ち端子９８との間は、巻き終わり端Ｅから延びるリード線９４ａによって接続している。このリード線９４ａは、パーティション１００の外縁に沿って空中を長い距離に亘って配置されている。巻線型トランスの製造に際しては、リード線９４ａと二次巻線９４の外周面との間は規定の縁面距離（耐電圧距離）が必要とされるため、リード線９４ａをできるだけ、二次巻線９４の外周面から離れるように構成している。尚、図中、１０２は端子台、１０４は二次側リードピン、１０６はＦ巻線、１０８は一次巻線、１１０，１１２，１１４は、一次側リードピン、１１６，１１８は、Ｆ巻用リードピンである。
【０００３】
【発明が解決しようとする課題】
高圧二次巻き線と空間を介してリード線を対向配置する場合、縁面距離が短いと、ショートを起こすおそれがある。そのため、縁面距離を広くとる必要から、パーティションの径を大きくして、パーティションの溝に案内されたリード線と二次巻線との距離を大きくしている。しかしながら、巻線型トランスを製造する場合、パーティションの径を大きくすると、全体が大きくなってしまという問題点がある。、
本発明は上記問題点を解決することを目的とするものである。
また、本発明の他の目的は、小型化に適した１入力２出力型の巻線型トランスを提供することである。
【０００４】
【課題を解決するための手段】
上記目的を達成するため本発明は、ボビンにパーティションを介して一次巻線と二次巻線を所定の幅にわたって筒状に巻回し、巻線の端部から延長されたリード線を二次巻線の筒状の外周面の一端部から他端方向に向けて折り返し、この折り返したリード線を二次巻線の外周面を跨いでボビンに固設された端子台に導き、該リード線をリードピンに接続するようにした巻線型トランスにおいて、前記ボビンに絶縁体から成る細長状の遮蔽体を該ボビンとの間に所定の空間を存して平行に配設し、前記リード線と前記二次巻線の外周面との間を前記遮蔽体によって遮蔽したものである。
また本発明は、ボビンの中央部に一次巻線を装着し、この一次巻線の両側に第１と第２の二次巻線を装着し、前記一次巻線とその両側の第１及び第２の二次巻線との境界に絶縁耐圧用のパーティションを配設し、前記ボビンの一端に第１の端子台を設け、前記ボビンの他端に第２の端子台を設け、それぞれの端子台に二次高圧端子とこれに対して距離を存した位置に一次入力端子とグランド端子を設け、前記第１の二次巻線の一端のリード線を前記第１の端子台の二次高圧端子に接続し、前記第２の二次巻線の一端のリードを前記第２の端子台の二次高圧端子に接続し、前記一次巻線の一端のリード線と前記第１の二次巻線の前記一次巻線と接する側の巻線のリード線とを前記二次巻線の外周面に沿って前記ボビンの一端に導き、該リード線をそれぞれ前記第１の端子台の対応する一次入力端子とグランド端子に接続し、前記一次巻線の他端のリード線と前記第２の二次巻線の前記一次巻線と接する側の巻線の端部のリード線とを前記二次巻線の外周面の軸方向に沿って前記ボビンの他端に導き、該リード線をそれぞれ前記第２の端子台の対応する一次入力端子とグランド端子に接続し、前記二次巻線の外周面に絶縁体から成る細長状の遮蔽体を対向配置し、前記一次巻線の一端のリード線と前記二次巻線の外周面との間、前記第１の二次巻線の前記一次巻線と接する側の巻線のリード線と前記二次巻線の外周面との間、前記一次巻線の他端のリード線と前記二次巻線の外周面との間、前記第２の二次巻線の前記一次巻線と接する側の巻線の端部のリード線と前記二次巻線の外周面との間を前記遮蔽体により遮蔽し、一次側巻線とその両側の二次巻線とで１入力２出力を構成したものである。
また本発明は、前記第１と第２の端子台の各々の一方端側に前記二次高圧端子を設け、他方端側にそれぞれ前記一次入力端子とグランド端子とを設けたものである。
また本発明は、前記一次巻線に共振コンデンサを接続して一次側共振回路を設け、前記一次巻線に、一次側共振電圧のフィードバック信号に基づいて一次側共振周波数で自励発振する自励発振回路を接続したものである。
【０００５】
【発明の実施の形態】
以下に本発明の実施の形態を添付した図面を参照して詳細に説明する。
図１において、２は巻線型トランス４４のボビンであり、その角筒部には所定の間隔を存して四角形の絶縁耐圧用の板状のパーティション４，６，８，１０，１２，１４が複数固設され、ボビン２上に、巻線用の凹入部を形成している。前記ボビン２の軸方向の両端には端子用の端子台１６，１８が固設され、これに端子２０，２２，２４，２６，２８，３０が固着されている。
【０００６】
ボビン２の一端側の端子台１６には、その一方側に二次高圧端子２４が配置され、その他方側に、一次入力端子２２と二次グランド端子２０が配置されている。一次入力端子２２とグランド端子２０は、二次高圧端子２４の高電圧の影響を受けないように、できるだけ離して、端子台１６の他方側に配置されている。ボビン２の他端側の端子台１８には、その一方側に二次高圧端子３０が配置され、これからできるだけ離れた他方側に一次入力端子２８と二次グランド端子２６が配置されている。前記端子台１６，１８の前記端子２０，２２と２６，２８取付側に形成されたガイド取付溝１６ａ，１８ａ間には細長状の絶縁体から成る遮蔽体３４が架設され、該遮蔽体３４の凹部３４ｂが対応するパーティション４，６，８，１０，１２，１４の外縁に嵌合している。前記遮蔽体３４には、その長手方向に沿って、前記ボビン２と対面する側とは反対側に開放された溝から成るリード線ガイド部３４ａが設けられている。
【０００７】
ボビン２の中央のパーティション８，１０で囲まれた凹入部には、一端側Ａを巻始めとして、一次巻線３２が例えば右巻きで巻回されている。一次巻線３２の巻始め端側Ａのリード線３２ａは、遮蔽体３４に形成された、穴３６を通じて、遮蔽体３４のリード線ガイド部３４ａ内に配置され、該リード線ガイド部３４ａを通って、ボビン２の一端側に導かれ、端子台１６に形成された案内溝を介して一次側入力端子２２に接続している。一次巻線３２の終端側Ｄのリード線３２ａは、遮蔽体３４に形成された、穴３８を通じて、遮蔽体３４のリード線ガイド部３４ａ内に配置され、該リード線ガイド部３４ａを通って、ボビン２の他端側に導かれ、端子台１８に形成された案内溝を介して一次側入力端子２８に接続している。ボビン２上の一次巻線３２の一方側には、ボビン２の一端側Ｂを巻始めとして、第１の二次巻線３９が右巻きで、端子台１６、パーティション４間、パーティション４，６間、パーティション６，８間の各凹入部に順次巻回されている。
【０００８】
二次巻線３９の中間を複数のパーティション４，６，８によって区画したのは、二次巻線３９の絶縁耐圧を考慮したものである。第１の二次巻線３９の巻始め端側Ｂのリード線３９ａは、端子台１６に形成された溝を通って、二次高圧端子２４に導かれ、これに接続している。第１の二次巻線３９の終端側Ｃのリード線３９ｂは、穴３６を介して遮蔽体３４のリード線ガイド部３４ａ内に配置され、リード線３２ａとともに該リード線ガイド部３４ａを通って、ボビン２の一端側に導かれ、端子台１６に形成された案内溝を介して二次側グランド端子２０に接続している。ボビン２の中央の一次巻線３２の他方側には、パーティション１０と接する側Ｄを巻始めとして、第２の二次巻線４１が右巻きで、パーティション１０，１２間、パーティション１２，１４間、パーティション１４、端子台１８間の各凹入部に順次巻回されている。
【０００９】
一次巻線３２の左右に対称に配置された第１と第２の二次巻線３９，４１は同一の構造である。第２の二次巻線４１の終端側Ｅのリード線４１ｂは、端子台１８に形成された溝を通って、二次高圧端子３０に導かれ、これに接続している。第２の二次巻線４１の巻き始め端側Ｄのリード線４１ａは、穴３８を介して遮蔽体３４のリード線ガイド部３４ａ内に配置され、一次巻線３２のリード線３２ａとともに該リード線ガイド部３４ａを通って、ボビン２の他端側に導かれ、端子台１８に形成された案内溝を介して二次側グランド端子２６に接続している。以上の巻線構造から明らかなように、パーティション８，１０間の一次側巻線３２の両端は二次巻線３９，４１の電圧の低いグランド側と接することになり、隣接する、一次巻線３５の電圧と二次巻線３９，４１の電圧との差が小さくなる。
【００１０】
そのため、一次巻線３２と二次巻線３９，４１との間の絶縁耐圧構造を簡単な構造とすることができる。一次巻線３２と、二次巻線３９，４１のグランド側は、電位差が小さいので、共通のリード線ガイド部３４ａを通して、両者を平行に配置しても絶縁耐圧に問題はない。そのため、遮蔽体３４のリード線ガイド部３４ａの構造を簡単にすることができる。４２はコアであり、ボビン２の外側に配置されるとともに、該コア４２の内側部分４２ａがボビン２の筒部内に配置されている。上記した巻線型トランス４４は、１入力２出力を構成し、このトランスを用いて２本の冷陰極蛍光ランプを明るさに明暗のムラのない状態で駆動することができる。この場合、２本のランプは、両端が二次巻線３９，４１の高圧側に接続されるので、ランプの両端に明るさの差が生じることがない。
【００１１】
上記した１入力２出力巻線型トランス４４は、このトランスの一次側で直列あるいは並列共振回路を構成し、トランスの一次側に共振電圧を発生させる自励発振回路により駆動されることが望ましい。この場合、トランスの一次側に電源電圧より高い高電圧が発生することにより、二次側の巻線の量を少なくでき、結果として、従来の１入力１出力の巻線型トランスと同じ大きさで２出力を実現することができる。また、１入力２出力巻線型トランスは、トランスの中央部に一次コイルとコアによる発熱が集中するが、この発熱はトランスの中央部に発生するので、二次巻線との結合のバランスが良好な状態に保持され、トランスが効率的に動作する。従来の１入力１出力の巻線型トランスのように、発熱がトランスの片側に集中すると、一次巻線と二次巻線との結合にアンバランスが生じ効率化の妨げとなる。図６において、１２０は、遮蔽体の他の実施形態を示し、断面形状を三角形としている。
【００１２】
この遮蔽体１２０の両端は、端子台１６，１８間に架設され、底部の斜面１２２が、パーティション４，６，８，１０，１２，１４の各外縁部に形成された斜面に当接配置されている。遮蔽体１２０の長手方向に形成されたリード線ガイド部１２０ａに、穴１２６を介して、リード線３２ａ，３９ｂ及び３２ａ，４１ａが配置されている。図７において、１２４は、遮蔽体の他の実施形態を示し、断面三角の遮蔽体１２４の２側面に互いに略９０度の間隔を隔てて、リード線ガイド部１２４ａ，１２４ｂが形成されている。このリード線ガイド部にはリード線が１本づつ配置されている。他の構成は、図６に示す実施形態と同じである。
次に、図９を参照して、遮蔽体の他の実施形態について説明する。
図９において、ボビンとパーティション及び巻線の構造は図１に示すトランスの構造と同一である。
【００１３】
パーティション４，６，８，１０，１２，１４の各外縁にリード線ガイド溝１３０，１３２を設け、パーティション８，６，４のガイド溝１３０，１３２に、リード線３２ａ，３９ｂを通して、それぞれリード線３２ａ，３９ｂを端子２２，２０に接続し、且つ、パーティション１０，１２，１４のガイド溝１３０，１３２にリード線３２ａ，４１ａを通して、それぞれ、リード線３２ａ，４１ａを端子２８，２６に接続し、しかる後に、細長状の絶縁体から成る遮蔽体１３４をパーティション８、端子１６間に圧入配置し、リード線３２ａ，３９ｂと、二次巻線３９の外周面との間を遮蔽体１３４により遮蔽する。同様に、パーティション１０、端子台１８間に遮蔽体（図示省略）を圧入配置し、リード線３２ａ，４１ａと二次巻線３９の外周面との間を遮蔽体により遮蔽する。遮蔽体１３４には、パーティションに嵌合するための凹入部１３６が形成され、この凹入部１３６の内側にはレール１３８，１４０が形成されている。パーティション側には、レールガイド溝１４２，１４４と嵌合凹部１４６が形成されている。
【００１４】
上記した構成において、遮蔽体１３４をパーティション８，６，４の側方から、レールガイド溝１４２，１４４にレールを合わせて圧入する。これにより、遮蔽体１３４の部分１３４ａは、パーティション８，６，４の嵌合凹部１４６に嵌合し、遮蔽体１３４の一端部は、端子台１６の溝（図示省略）に嵌合する。これにより、リード線３２ａ，３９ｂと二次巻線３９の外周面との間は、遮蔽体１３４により遮蔽され、縁面距離が拡大する。パーティション１０と端子台１８との間も同様に遮蔽体が圧入され、リード線３２ａ，４１ａと二次巻線４１の外周面との間は遮蔽体により遮蔽される。
このように構成することで、リード線を端子に固定した状態で順次ボビンに線を機械で巻くことができ、巻線完了後、遮蔽体を装着できる。もし、リード線を端子に固定しないまま、ボビンを高速回転させて線を機械で巻くと、リード線に傷がついて被覆が剥がれる等信頼性が損なわれてしまう。
【００１５】
次に巻線型トランスの一次側に共振電圧を発生させる自励発振回路により巻線型トランス４４を駆動する実施形態を図１０を参照して説明する。
図１０中、５２，５４，５６，５８はＦＥＴから成るスイッチング素子であり、各々のスイッチング素子のソース、ドレイン間には転流ダイオード６０，６２，６４，６６が接続されている。スイッチング素子５２，５４，５６，５８の各々のゲートにはゲート制御回路６８，７０，７２，７４が接続され、これらのうち、ゲート制御回路６８，７２はＰＷＭ制御回路７６に接続し、ゲート制御回路７０，７４はロジック回路７８に接続している。ＰＷＭ制御回路７６は、ランプ２０に流れる電流を検出する整流平滑回路８０から信号を受け取り、この信号のレベルがライン８２から与えられる設定値になるように、スイッチング素子５２，５６の導通角を制御する。４４は基板（図示省略）に固設された１入力２出力型の巻線型トランスであり、２本の冷陰極型蛍光ランプ４６，４６が直列に接続し、蛍光ランプ４６，４６の各一端は、巻線型トランス４４の二次側コイル３９，４１の高圧端子側にそれぞれ接続している。二次側巻線３９，４１の各一端は、それぞれ抵抗を介して接地されている。
【００１６】
一方の抵抗４８は、電流検出回路を構成し、リード線を介して、ランプオープン・ランプショート検出回路９０と起動補償回路８８に接続している。位相検出回路５１は、リード線２７を介して、ＬＣ直列共振回路の中点Ｐに接続している。ロジック回路７８は、リード線２７に接続する位相検出回路５１からの一次側共振位相信号に基づいて、スイッチング素子をオンオフさせるための信号を造出し、ＰＷＭ制御回路７６を介してゲート制御回路６８，７２にオンオフ制御信号を送るとともに、ゲート制御回路７０，７４にオンオフ制御信号を送るように構成されている。位相検出回路５１は、ＬＣ直列共振回路の中点Ｐの位相電圧信号から９０度遅れた補正位相信号をロジック回路７８に供給する。この信号は、一次側ＬＣ直列共振回路に流れる電流と同位相となる。一次側直列共振回路に流れる電流は、キャパシタＣ１の充電電圧が直流電源電圧に到達しても、トランス４４の一次側端子の電圧は電気的に９０度の位相時間が経過した後に０Ｖを越えて更に低下し、更に９０度の位相時間が経過してマイナスの最大値になる。
【００１７】
この時、この電圧から９０度遅れた信号は０Ｖとなるので、このタイミングでスイッチング制御信号をオンオフする。ロジック回路７８はこのようにして交互にスイッチング制御信号を出力する。ロジック回路７８は、調光信号が入力される調光制御回路８４の出力信号に基づいて、調光制御信号を造出し、この調光制御信号によってスイッチング素子オンオフのバースト制御とＰＷＭ制御回路７６のスイッチオンパルス幅を制御し、ランプ４６，４６の明るさを一定に保つことと、調光信号に基づいて、輝度ゼロから１００％まで任意の値に設定し得るように構成されている。また、ロジック回路７８には過電流検出回路８６が接続し、ランプ２０に過電流が流れたとき、ロジック回路７８は、これを検出し、過電流を阻止する信号をＰＷＭ制御回路７６に送り過電流を防止するように構成されている。
【００１８】
起動補償回路８８は、ランプ４６の通電回路に接続し、ランプ４６の電流信号が入力されるように構成されている。起動補償回路８８は、電源オンオフ時、自励発振回路が確実に起動するように、起動補償信号を位相検出回路５１に入力する。位相検出回路５１は、この起動補償信号を受けて、ロジック回路７８に自励発振のための起動信号を出力する。起動補償回路８８は、位相検出回路５１から位相補正された信号がロジック回路７８に入ってトランス一次側に電流がロジックで決められた方向に流れても、ランプ４６が放電を開始しない事がある。起動補償回路８８は、このような場合の起動補償のために設けられている。この場合、確実にランプ４６を点灯させるために、起動補償回路８８は、ランプ４６を流れる電流を検出してランプ４６が点灯したか否か判断し、点灯していない時は、点灯するまで起動補償信号を位相検出回路５１に送り出す。
【００１９】
位相検出回路５１はこの起動補償信号を受けてランプ４６が点灯するまで起動信号をロジック回路７８に出力する。調光制御回路８４では、調光信号入力の電圧が、内蔵の三角波発振回路の出力電圧と比較されて、所定の周期のバースト調光信号を生成する。この信号のデューティサイクルに従って、全体のロジック信号をＯＮ−ＯＦＦさせ結果的に明るさを制御している。この方法は、消灯から全点灯まで自由に調整が可能であるが、ランプ４６はこの調光信号の周期でＯＮ−ＯＦＦされているため、その周期ごとに起動確認と確実な起動が必要となる。そのため、起動補償回路８８は、上記のごとく、確実な点灯を実現するために、はじめに起動補償信号を位相検出回路５１に送り出している。起動補償の動作を図９を参照して説明すると、始めて電源を入れる時や、ランプが点灯していない時、例えば、電流がＩ１の方向に流れる様にスイッチング素子５２と５８とを決められたパルス幅でＯＮにする。
【００２０】
これによりコンデンサ（Ｃ１）とトランス４４の一次巻線に電流が流れ、位相検出回路５１にリード線２７を通じて信号が入り、Ｉ２，Ｉ１，Ｉ２，Ｉ１と交互に電流が流れ、自励発振回路は、検出した共振周波数で発振を開始する。起動補償回路８８は、ロジック回路７８の初期リセット（起動時）も作っている。もしランプ４６が点灯しなかった場合は、再度リセットし、始めの起動信号を位相検出回路５１を通じてロジック回路７８に対し送出する。ランプオープン・ショート検出回路９０は、巻線型トランス１０の二次側に接続し、二次側の電圧及び電流を検出する。ランプ４６が点灯していないか又はランプ４６が取り付けられていない状態即ちランプオープンやランプの配線等がショートした状態即ちランプショートのとき、位相検出回路５１を通じてロジック回路７８に信号を送り、ロジック回路７８、ＰＷＭ制御回路７６及びゲート制御回路６８，７０，７２，７４から成る制御回路を遮断するように構成されている。過電流検出回路８６は、ＰＷＭ制御回路７６が不良であったり、又は、ランプ２０の配線がショートした時等において、ロジック回路７８に信号を送り、制御回路を遮断する。
【００２１】
上記した構成において、電源スイッチがオンとなり、ゲート制御回路６８，７４又は７２，７０のいずれかにＰＷＭ制御回路７６及びロジック回路７８からオン信号が瞬間的に供給されると、直流電源がスイッチング素子５２，５８を通じて、Ｉ１の方向に、あるいは、スイッチング素子５６，５４を通じて、Ｉ２の方向に、巻線型トランス１０の一次側巻線に電流が流れる。これにより、自励発振回路が起動し、巻線型トランス４４が共振電圧を発生する。巻線型トランス４４の一次側の共振電圧の周波数は、リード線２７により、位相検出回路５１に供給される。ロジック回路７８とＰＷＭ制御回路７６は、位相検出回路５１からの位相信号に基づいて、ゲート制御回路６８，７０，７２，７４を駆動し、スイッチング素子５２，５４，５６，５８をオンオフ制御する。スイッチング素子５２，５４，５６，５８のオンオフによって電流は、Ｉ１とＩ２の方向に交互に流れ、自励発振回路は、巻線型トランス１０の一次側共振周波数で自励発振する。２本の蛍光ランプ４６，４６の各両端電極には、トランスの二次側巻線の高電圧が印加されるため、明るさにムラが生じない。前記巻線型トランス４４は、図１１に示すように、基板に正しい向きで固定されると、ボビン２の軸方向に対して直角方向に延びる端子台１６，１８の右側に、ボビン２を挟んで、二次高圧端子２４，３０が並び、左側に、グランド端子２０，２６と、一次入力端子２２，２８とがボビン２を挟んで並ぶ。そのため、巻線型トランス４４の、コネクタ１２８を介したランプ４６，４６との接続配線及び自励発振回路との接続配線をきわめてシンプルな構成とすることができる。
【００２２】
しかも、巻線型トランスの右側に高圧端子、左側に低圧端子が配置されるので、トランスの高圧側と低圧側との縁面距離を広くとることができ、トランスの安定的動作と小型化を図ることができる。
尚、上記実施形態はいずれも、巻線型トランスの一次側共振周波数を、巻線型トランスの一次側からリード線を通じて取り出しているが、この構成に特に限定されるものではなく、巻線型トランスの二次側の共振周波数から、周波数解析回路により一次側共振周波数を検出し、この検出信号によってロジック回路７８やＰＷＭ制御回路７６等を動作させるようにしても良い。
本実施形態は上述の如く、巻線型トランスの一次側に入力電源電圧より高い共振電圧が得られるので、巻線型トランスの二次側の巻線数を少なくでき、小型化が可能である。そのため、本発明に使用される巻線型トランスは、普通の１入力１出力型の巻線型トランスとほぼ同じ大きさで、１入力２出力型の巻線型トランスとすることが可能となる。
【００２３】
【発明の効果】
本発明は上述の如く構成したので、二次巻線とリード線との間の縁面距離を広くすることができ、巻線型トランスを確実に動作させることができるとともに、巻線型トランスの小型化が可能となる。
【図面の簡単な説明】
【図１】本発明の巻線型トランスの説明的裏面図である。
【図２】遮蔽体の平面図である。
【図３】Ａ−Ａ線断面図である。
【図４】本発明の巻線型トランスの側面図である。
【図５】巻線型トランスの要部の断面図である。
【図６】巻線型トランスの他の実施形態を示す断面図である。
【図７】巻線型トランスの他の実施形態を示す断面図である。
【図８】遮蔽体の他の実施形態を示す平面図である。
【図９】遮蔽体の他の実施形態を示す平面図である。
【図１０】本発明の応用例を示すブロック回路図である。
【図１１】本発明の説明図である。
【図１２】従来技術の裏面図である。
【符号の説明】
２      ボビン
４      パーティション
６      パーティション
８      パーティション
１０    パーティション
１２    パーティション
１４    パーティション
１６    端子台
１８    端子台
２０    端子
２２    端子
２４    端子
２６    端子
２８    端子
３０    端子
３２    一次巻線
３４    遮蔽体
３９    二次巻線
４１    二次巻線
４２    コア
４４    巻線型トランス
４６    冷陰極型蛍光ランプ
４８    抵抗
５０    誤動作防止回路
５１    位相差造出回路
５２〜５８  スイッチング素子
６２〜６６  転流ダイオード
６８    ゲート制御回路
７０    ゲート制御回路
７２    ゲート制御回路
７４    ゲート制御回路
７６    ＰＷＭ制御回路
７８    ロジック回路
８０    整流制御回路
８２    ライン
８４    調光制御回路
８６    過電流検出回路
８８    起動補償回路
９０    ランプオープン・ショート検出回路
９２    ボビン
９４    二次巻線
９６    端子台
９８    リードピン
１００  パーティション
１０２  端子台
１０４  リードピン
１０６  Ｆ巻線
１０８  一次巻線
１１０  リードピン
１１２  リードピン
１１４  リードピン
１１６  リードピン
１１８  リードピン
１２０  ガイド
１２２  切欠部
１２４  ガイド
１２６  穴
１２８  コネクター
１３０  リード線ガイド溝
１３２  リード線ガイド溝
１３４  遮蔽体
１３６  凹入部
１３８  レール
１４０  レール
１４２  レールガイド溝
１４４  レールガイド溝
１４６  嵌合凹部
【図１】
2004228229.tif 000003
【図２】
2004228229.tif 000004
【図３】
2004228229.tif 000005
【図４】
2004228229.tif 000006
【図５】
2004228229.tif 000007
【図６】
2004228229.tif 000008
【図７】
2004228229.tif 000009
【図８】
2004228229.tif 000010
【図９】
2004228229.tif 000011
【図１０】
2004228229.tif 000012
【図１１】
2004228229.tif 000013
【図１２】
2004228229.tif 000014